(57)【要約】【課題】ゴルファーがゴルフコースに沿った真直ぐなボール軌道を位置決めするのを補助するゴルフボール位置決め装置を提供する。【解決手段】ゴルフバイザーおよびゴルフキャップとして開示されるゴルフボール位置決め装置（ＧＢＡＤ）。バイザー、キャップのいずれも、前部角形端、上側表面、および、下側表面を有する庇を特徴とする。庇の下側表面の、前部角形端付近には、暗色の防眩仕上げが施される。オプションで、庇の前部角形端に、一体丁番によって、暗色の防眩仕上げを施した角形可動タブを接続してもよい。暗色の防眩仕上げをゴルファーが見ることにより、ゴルフコースに沿った真っ直ぐなボール軌道の位置決めを補助できる。ＧＢＡＤは、左右ヘッドバンドおよび各左右側バンドと連動する庇調節部を含むように構成することもできる。【選択図】図１
2012531942.tif 000002
【特許請求の範囲】
【請求項１】
ゴルフバイザーとして構成されたゴルフボール位置決め装置であって、
ａ）上端と下端を備え、前記上端が、先細りになるように徐々に下がり右側部と左側部で終わる、湾曲した額部と、
ｂ）外側端と内側端を備え、前記内側端が前記額部の前記右側部に一体に取付けられる、細長形状の右ヘッドバンドと、
ｃ）外側端と内側端を備え、前記内側端が前記額部の前記左側部に一体に取付けられる、細長形状の左ヘッドバンドと、
ｄ）前記湾曲した額部の前記下端に取付けられる湾曲した内側端、左湾曲部、右湾曲部、および、前部角形端を備え、前記角形端が、ゴルファーから見て、ゴルフコースに沿った真っ直ぐなボールの軌道を位置決めする補助となる庇と、
を備えたゴルフボール位置決め装置。
【請求項２】
前記庇の前記前部角形端の外側角部が丸みを帯びている、請求項１に記載の装置。
【請求項３】
前記庇の下側表面の前部角形端付近に施される、暗色の防眩仕上げを更に備えた、請求項１に記載の装置。
【請求項４】
上側表面、下側表面、外側端、および、内側端を備え、前記内側端が取付手段によって前記庇の前記前部角形端に可動に取付けられる、角形可動タブを更に備えた、請求項１に記載の装置。
【請求項５】
前記角形可動タブの前記内側端を前記庇の前部角形端に取付けるための前記取付手段が、一体丁番を含む、請求項４に記載の装置。
【請求項６】
前記角形可動タブの下側表面に、暗色の防眩仕上げが施された、請求項５に記載の装置。
【請求項７】
前記暗色の防眩仕上げが、黒色の防眩仕上げを含む、請求項６に記載の装置。
【請求項８】
前記黒色の防眩仕上げが、黒色の防眩塗料によって施される、請求項７に記載の装置。
【請求項９】
前記黒色の防眩仕上げが、接着剤によって前記角形可動タブの下側表面に取付けられた黒色の防眩テープによって施される、請求項７に記載の装置。
【請求項１０】
取外し可能に取付けられた硬質の管を更に備え、該管が、該管を前記角形可動タブの前記外側端に挿入し保持することのできる、先の分かれた端部を備え、該管が、前記庇および前記角形可動タブを真っ直ぐな形状に維持するのを補助する、請求項１に記載の装置。
【請求項１１】
ゴルフバイザーとして構成されたゴルフボール位置決め装置であって、
ａ）上端と下端を備え、前記上端が、先細りになるように徐々に下がり、右側部と左側部で終わる、湾曲した額部と、
ｂ）外側端と内側端を備え、前記内側端が前記額部の前記右側部に一体に取付けられ、更に角形孔が形成された、細長形状の右ヘッドバンドと、
ｃ）外側端と内側端を備え、前記内側端が前記額部の前記左側部に一体に取付けられ、更に角形孔が形成された細長形状の左ヘッドバンドと、
ｄ）上側表面、下側表面、前記湾曲した額部に適合する湾曲した内側端、および、前部角形端を備えた庇と、
を備え、
前記庇が右端部と左端部で終わり、該右端部と左端部の付近に、前記額部上の前記各角形孔と整列する円形孔が形成され、前記庇が、前記湾曲した額部に、庇調節部によって取外し可能に取付けられ、
該庇調節部が、
（１）角頭ネジ付きボルトを前記角形孔と前記円形孔に挿入し、
（２）係合する座金を突孔に挿入し、
（３）凹面型の座金を、突ボルトに挿入し、
（４）ネジ付きノブを前記ネジ付きボルトの端部に取付けることによって、取付けられ、
前記庇調節部によって、前記庇を上方向および下方向に回転させることができ、これにより、ゴルファーが前記庇を見たときに、ゴルフコースに沿った真っ直ぐなボールの軌道をゴルファーが得られるよう前記庇が補助できる位置に、ゴルファーが前記庇を位置させることができる、ゴルフボール位置決め装置。
【請求項１２】
前記庇の下側表面が、黒色の防眩表面を備えた、請求項１１に記載の装置。
【請求項１３】
取外し可能に取付けられた透明プラスチックの管を更に備え、該管が、該管を前記庇の前記前部角形端に挿入し保持することのできる、先の分かれた端部を備えた、請求項１２に記載の装置。
【請求項１４】
人の額と前記湾曲した額部との間に、取り外し可能に取付けられたスウェットバンドを更に備えた、請求項１１に記載の装置。
【請求項１５】
ゴルフキャップとして構成されたゴルフボール位置決め装置であって、
ａ）円形の下端を供えた頭部囲み部と、
ｂ）前記頭囲み部の前記円形の下端に取付けられる湾曲した内側端、右湾曲部、左湾曲部、および前部角形端を備え、前記前部角形端が、ゴルファーから見て、ゴルフコースに沿った真っ直ぐな軌道を位置決めする補助となる庇と、
を備えたゴルフボール位置決め装置。
【請求項１６】
前記庇の下側表面の前記前部角形端の付近に施された暗色の防眩仕上げを更に備えた、請求項１５の装置。
【請求項１７】
上側表面、下側表面、外側端、および、内側端を備え、前記内側端が取付手段によって前記庇の前記前部角形端に可動に取付けられる、角形可動タブを更に備えた、請求項１５に記載の装置。
【請求項１８】
前記角形可動タブの前記内側端を前記庇の前部角形端に取付けるための前記取付手段が、一体丁番を含む、請求項１７に記載の装置。
【請求項１９】
前記角形可動タブの下側表面に、暗色の防眩仕上げが施された、請求項１８に記載の装置。
【請求項２０】
取外し可能に取付けられた硬質の管を更に備え、該管が、該管を前記角形可動タブの前記外側端に挿入し保持することのできる、先の分かれた端部を備えた、請求項１５に記載の装置。
【発明の詳細な説明】
【技術分野】
【０００１】
本発明は、おおまかにはゴルフ用ヘッドギヤに関し、さらに詳しくは、ゴルフバイザーやゴルフキャップの庇に取付けられるゴルフボール位置決め装置（ＧＢＡＤ, golf ball aligning device）に関する。ＧＢＡＤは、ゴルファーがゴルフコースに沿った真っ直ぐなボール軌道を位置決めするのを補助する。
【背景技術】
【０００２】
ゴルフは世界で最も人気のあるスポーツの１つである。特に近年、ゴルフは、子供から大人まで幅広く、多くの人々が見たりプレーしたりするスポーツとなってきた。この人気の結果、ゴルフ用品やゴルフアクセサリーへの関心も高まり、生産も増えてきている。ゴルフの人気が高まるにつれて、スポーツ用品メーカーは、幅広い種類のゴルフクラブや、靴、ゴルフバッグなどのゴルフ用衣料の提供を試みてきた。その中には、ゴルファーの技量を向上させるような装置やアクセサリーをゴルファーに提供することを試みてきたメーカーもある。そのような製品には、ゴルファーのゴルフクラブの振り方を向上させるものから、打ったゴルフボールの正確性向上を約束するものまで、様々なものがある。
【０００３】
有効性が実証され、実際に技量向上の目的にかなう製品がある一方で、効果のない製品も多い。ゴルフのプレーで最も難しい要素の一つは、ボールを打つ前に、ゴルフボールの軌道を正確に見定める、ゴルファーの技量である。ボールが打たれる角度は重要であり、これに対処するのに、ヘッドの角度を特殊にしたゴルフクラブなどの改良が有効であることがわかっている。しかし残念ながら、打つ角度は問題の一部でしかない。ゴルファーには、ボールが打たれた後に通るであろう軌道を、視覚的に決定する能力も要求される。ゴルフボールの軌道を決定するためにレーザー照準器を用いる試みもあったが、これらの装置は複雑で高価であることが多い。また、多くのゴルファーは、レーザー照準器は不公平な技術的有利性を提供し、ゴルフのルールから外れていると感じている。
【０００４】
ゴルフボールの軌道を決定するための、使用が簡単かつ正確で目立たない手段を提供できる方法があれば、大きな利益が得られるはずである。
【０００５】
先行技術を調査したところ、本発明の請求項と直接的に同じであると考えられる文献または特許はなかった。ただし、以下の米国特許は、本発明と関係があると考えられる。
【先行技術文献】
【特許文献】
【０００６】
【特許文献１】米国特許第６，７２１，９６２Ｂ１号公報
【特許文献２】米国特許第４，８９６，３７５号公報
【特許文献３】米国特許第３，８１２，５９３号公報
【特許文献４】米国特許第３，４３７，３３９号公報
【特許文献５】米国特許第３，１７８，１８７号公報
【特許文献６】米国特許第３，１５６，２１１号公報
【特許文献７】米国特許第１，４５９，７０５号公報
【０００７】
特許番号                  発明者              特許日
６，７２１，９６２Ｂ１    Ｐｌａｉｒｅ     ２００４年４月２０日
４，８９６，３７５        Ｃｏｌｕｃｃｉ    １９９０年１月２０日
３，８１２，５９３        Ｗｙｄｒｏ        １９７４年５月２８日
【０００８】
米国特許第６，７２１，９６２号は、従来のキャップバイザーの外観を保ちつつユーザーに照明を提供する、ライト付きハットを開示している。このライト付きキャップは、頭部装着部と、頭部装着部の前部に取付けられる鍔と、頭部装着部の内側下縁に接続されるヘッドバンドとを備えている。薄型のライトが、見えないようにハットの鍔に組み込まれている。
【０００９】
米国特許第４，８９６，３７５号は、ヘッドバンドと、長く延び出したバイザー（日よけ）とを備えたゴルフキャップを開示している。このバイザーは、帽子着用者からはっきりと見える少なくとも１つのマーカーを含んでいる。このバイザーは、通常のゴルフキャップのバイザーより長く、着用者が帽子を頭に被ったとき、その下端部が目の高さより低くなるのに十分な長さとなっている。マーカーはバイザーの中央線に沿って長手方向に延びる直線の形状となっている。この帽子を被ったゴルファーは、長手方向の直線がボールと一直線に並ぶように、予定される飛跡と垂直になるように、ゴルフボールを見る。
【００１０】
米国特許第３，８１２，５９３号は、伸縮性のあるヘッドバンドと、ヘッドバンドに取付けられたバイザーと、バイザーの前部に取付けられたアルコール水準器とでできたゴルファーのグリーンリーダーを開示している。水準器は、バイザーの下側、前部付近に備えられ、ユーザーが水準器を見ることによって、ゴルフのグリーンの地形を推定できる。
【００１１】
本発明の背景および関連技術として、調査により見つかった以下の特許も参照できる。
【００１２】
特許番号                発明者                特許日
３，４３７，３３９     Ｓｔａｒｃｋ       １９６９年４月８日
３，１７８，１８７    Ｃａｒｄｗｅｌｌ      １９６５年４月１３日
３，１５６，２１１    Ｍａｌｌｏｒｙ，Ｊｒ  １９６４年１１月１０日
１，４５９，７０５      Ｂｕｌｌｏｃｋ        １９２３年６月１９日
【発明の概要】
【発明が解決しようとする課題】
【００１３】
本発明は、着用時、ゴルファーに、ゴルフコースに沿った真っ直ぐな軌道を与えるのを補助する、ゴルフバイザーを開示している。
【課題を解決するための手段】
【００１４】
ゴルフバイザーは、湾曲した額部、細長形状の右ヘッドバンド、細長形状の左ヘッドバンド、および、庇を備えている。湾曲した額部は、上端と下端を備え、該上端は、先細りになるように徐々に下がり、右側部と左側部で終わる。細長形状の右ヘッドバンドは、外側端と内側端を備え、該内側端は、額部の右側部に一体に取付けられる。同様に、細長形状の左ヘッドバンドは、外側端と内側端を備え、該内側端は、額部の左側部に一体に取付けられる。細長形状の左右のヘッドバンドは、いずれもバネ付勢されており、これにより、ゴルフバイザーを人の頭に対してしっかり支持することができる。
【００１５】
庇は、湾曲した額部の下端に取付けられる湾曲した内側端を備えている。庇はまた、左湾曲部および右湾曲部と、好ましくは丸みを帯びた外側角部を備えた前部角形端と、を備える。庇の下側表面の前部角形端付近には、暗色の防眩仕上げが施される。
【００１６】
ゴルフバイザーは、上側表面、下側表面、外側端、および、内側端を備えた、角形可動タブを含むように構成してもよい。内側端は、好ましくは一体丁番（living hinge）を含む取付手段によって、庇の前部角形端に可動に取付けられる。角形可動タブの下側表面は、暗色の防眩仕上げ（黒色の防眩仕上げであることが好ましい）が施される。黒色の防眩仕上げは、黒色の防眩塗料、または、接着剤によって可動タブの下側表面に取付けられる黒色の防眩テープによって施すことができる。
【発明の効果】
【００１７】
上記開示に基づき、本願発明の第１の目的は、着用時、ゴルファーに、ゴルフコースに沿った真っ直ぐな軌道のイメージを与えるようゴルフバイザーの庇を位置させることのできる、ゴルフバイザーを提供することである。
【００１８】
本発明の上記第１の目的に加え、次のようなゴルフバイザーを提供することも、本発明の目的である。
【００１９】
・子供用から大人用まで様々なサイズに製造できる。
【００２０】
・様々な色に製造できる。
【００２１】
・意味のあるマークや文字（indicia）、例えば、広告用のマークや文字、または使用説明を付けることができる。
【００２２】
・通常の日射遮蔽用バイザーとして着用できる。
【００２３】
・洗濯可能である。
【００２４】
・ゴルファーのスコアを顕著に向上させることができる。
【００２５】
販促品として配布することができる。
【００２６】
・メーカーおよび消費者いずれの観点から見ても、費用効率が高い。
【００２７】
本発明の上記および上記以外の目的および効果は、後述する好適な実施形態の詳細な説明と添付の請求項、添付図面により、明らかとなるであろう。
【図面の簡単な説明】
【００２８】
【図１】丸みを帯びた角部を備えた前部角形端を有する湾曲した庇を備えたゴルフバイザーとして構成された、ゴルフボール位置決め装置の斜視図である。
【図２】角形可動タブを有する湾曲した庇を備えたゴルフバイザーの斜視図である。
【図３】下側防眩仕上げが施されたタブの部分側面図である。
【図４】下側表面に防眩黒色テープが取付けられたタブの部分側面図である。
【図５】庇調整部によってバイザーに回転可能に取付けられた角形の庇を備えた、ゴルフバイザーの斜視図である。
【図６】図５に示すゴルフバイザーおよび角形の庇の分解斜視図である。
【図７】庇調節部の部分断面側面図である。
【図８】丸みを帯びた角部を備えた前部角形端を有する庇を備えたゴルフキャップとして構成された、ゴルフボール位置決め装置の斜視図である。
【図９】図８に示すゴルフキャップの平面図である。
【図１０】角形可動タブが取付けられた前部角形端を有する庇を備えた、ゴルフキャップの斜視図である。
【発明を実施するための形態】
【００２９】
発明を実施するための最良の形態を、図１〜図１０に２つのデザイン形態（ゴルフバイザーとゴルフキャップ）で示される、ゴルフボール位置決め装置（ＧＢＡＤ）の好適な実施形態によって説明する。二つのデザインの共通点は、それらがいずれも、前部角形端を有する庇を特徴とすることである。角形端を有する庇は、ゴルファーがそれを見ることにより、ゴルフコースに沿った真っ直ぐなボールの軌道を位置決めするのを補助することができる。
【００３０】
ＧＢＡＤ１０の第１のデザインは、図１〜６に示すゴルフバイザー１２である。ゴルフバイザー１２は、主要な要素として、湾曲した額部１４、細長形状の右ヘッドバンド２６、細長形状の左ヘッドバンド３２、庇４０、前部角形端４４および、オプションで角形可動タブ４８を備えている。
【００３１】
図１及び図２に最もよく示されるように、湾曲した額部１４は、上端１６と下端１８を備える。上端１６は、先細りになるように徐々に下がり、右側部２０と左側部２２で終わる。細長形状の右ヘッドバンド２６は、外側端２８と内側端３０を備える。内側端は、額部１４の右側部２０に一体に取付けられる。同様に、細長形状の左ヘッドバンド３２は外側端３４と内側端３６を備える。内側端３６は、額部１４の左側部２２に取付けられる。左右のヘッドバンド２６、３２は、いずれもバネ付勢されており、これにより、ゴルフバイザー１２を頭に対してしっかり支持することができる。
【００３２】
庇４０は、図１に示すように、湾曲した内側端４２と、好ましくは丸みを帯びた角部４６を備えた前部角形端４４と、湾曲した側部４７とを備える。湾曲した内側端４２は、湾曲した額部１４の下端１８に取付けられる。庇４０は、また、庇の下側表面５２の前部角形端４４付近に施された、暗色の防眩仕上げ６０を含むように構成してもよい。
【００３３】
ゴルフバイザー１２は、図２に示すように、上側表面５０と下側表面５２と外側端５４と内側端５６とを備えた角形可動タブ４８を含むように構成してもよい。内側端５６は、好ましくは一体丁番（living hinge）５８からなる取付手段によって、庇４０の前部角形端４４に可動に取付けられる。防眩のために、タブ４８の下側表面５２には、暗色の防眩仕上げ（黒色の防眩仕上げ６０であることが好ましい）が施される。黒色の防眩仕上げ６０は、黒色の防眩塗料６２によって施すことができる。または、黒色の防眩仕上げ６０は、黒色の防眩テープ６４を接着剤６６によって可動タブ４８の下側表面５２に取付けることによっても施すことができる。
【００３４】
更に、庇４０および角形可動タブ４８を角形形状に維持するのを補助するため、取外し可能に取付けられた硬質の管７０を使用してもよい。管７０は、図２、５および図６に示すように、先の分かれた端部７２を備え、先の分かれた端部７２は、管７０が角形可動タブ４８の外側端５４に挿入され保持され得るような寸法とされている。
【００３５】
ＧＢＡＤ１０の第２のデザインは、図８、９および１０に示すゴルフキャップ８０である。ゴルフキャップは、主要な要素として、頭部囲み部８２、庇８６、角形可動タブ９２、および、硬質の管１０６を備えている。頭部囲み部８２は、円形の下端８４を備える。庇８６は、頭部囲み部８２の円形の下端８４に取付けられる、湾曲した内側端８８を備えている。庇８６はまた、前部角形端９０を有し、ゴルファーが庇８６を見ることにより、真っ直ぐな端部が、ゴルフコースに沿った真っ直ぐなボールの軌道を位置決めするのを補助するようになっている。庇８６はまた、図８および９に示すように、庇８６の下側表面９６の、庇８６の前部角形端９０付近に施された、暗色の防眩仕上げ６０を含むように構成してもよい。
【００３６】
ゴルフキャップ８０は、図１０に示すように、上側表面９４と下側表面９６と外側端９８と内側端１００とを備えた角形可動タブ９２を含むように構成してもよい。内側端１００は、好ましくは一体丁番（living hinge）１０２からなる取付手段によって、庇８６の前部角形端９０に可動に取付けられる。角形可動タブ９２は、暗色の防眩仕上げを施された下側表面９６を備えることが好ましい。
【００３７】
庇８６および角形可動タブ９２を角形形状に維持するため、取外し可能に取付けられた硬質の管１０４を使用してもよい。管１０４も、図８および１０に示すように、先の分かれた端部１０８を備え、先の分かれた端部１０８は、管１０４が角形可動タブ９２の外側端９８に挿入され保持され得るような寸法とされている。
【００３８】
ゴルフバイザー１２はまた、図５、６および７に示すような、庇調節部（ＢＡＡ, bill adjusting assembly）１１４を備えて機能するように構成することもできる。ＢＡＡ１１４は、角頭ネジ付きボルト１１６、これと係合する（keyed）座金１１８、凹面型の座金１２０、ネジ付き調節ノブ１２２を備えている。
【００３９】
ＢＡＡ１１４を使用するために、細長形状の右ヘッドバンド２６には、外側端２８、３０、内側端３０、３６の間に、係合する（keyed）角形孔１２６が形成される。同様に、庇４０は各内側末端部４４付近に、それぞれの角頭ネジ付きボルト１１６と適合する円形ベース１２８を備えている。
【００４０】
庇４０は、庇調節部１１４によって、湾曲した額部１４に可動に取付けられ、庇調節部１１４は、図６に最もよく示されるように、
【００４１】
（１）角頭ネジ付きボルト１１６を角形孔１２６と円形孔１２８に挿入し、
（２）係合する座金１１８を突孔に挿入し、
（３）凹面型の座金を、ボルト１１６のネジ部分に挿入し、
（４）ネジ付き調節ノブ１２２をネジ付きボルト１１６の端部に取付けることによって、取付けられる。庇調節部によって、庇を上方向および下方向に回転させることができ、これにより、ゴルファーが庇４０を見たときに、ゴルフコースに沿った真っ直ぐなボールの軌道をゴルファーが得られるよう前記庇が補助できる位置に、ゴルファーが庇４０を位置させることができる。
【００４２】
ＧＢＡＤの有用性を更に高めるために、図６に最もよく示されるように、人の額と湾曲した額部１４との間に、スウェットバンド７６を取り外し可能に取付けることができる。
【００４３】
本発明を詳細に説明し、また、添付図によって図示したが、本発明はそれらの詳細に限定されるべきではなく、本発明の精神と範囲から逸脱することなく、多くの変更や改変が可能である。つまり、説明により、請求項の文言および範囲に入る全ての改変および形態を包含することを目的としている。
【符号の説明】
【００４４】
１０…ゴルフボール位置決め装置（ＧＢＡＤ）      １２…ゴルフバイザー
１４…湾曲した額部      １６…上端      １８…下端      ２０…右側部
２２…左側部      ２６…右ヘッドバンド      ２８…外側端  
３０…内側端      ３２…左ヘッドバンド      ３４…外側端
３６…内側端      ４０…庇      ４２…内側端      ４４…前部角形端
４７…湾曲した側部      ４８…角形可動タブ      ５０…上側表面
５２…下側表面      ５４…外側端      ５６…内側端    
５８…一体丁番（living hinge）      ６０…黒色の防眩仕上げ
６２…黒色の防眩塗料      ６４…黒色の防眩テープ      ６６…接着剤
７０…管      ７２…端部      ７６…スウェットバンド
８０…ゴルフキャップ      ８２…頭部囲み部      ８４…下端
８６…庇      ８８…内側端      ９０…前部角形端    
９２…角形可動タブ      ９４…上側表面      ９６…下側表面
９８…外側端      １００…内側端      １０２…一体丁番
１０４…管      １０８…端部    
１１４…庇調節部（ＢＡＡ, bill adjusting assembly）
１１６…角頭ネジ付きボルト      １１８…座金      １２０…座金
１１４…ネジ付き調節ノブ      １２６…角形孔      １２８…円形孔
【図１】
2012531942.tif 000003
【図２】
2012531942.tif 000004
【図３】
2012531942.tif 000005
【図４】
2012531942.tif 000006
【図５】
2012531942.tif 000007
【図６】
2012531942.tif 000008
【図７】
2012531942.tif 000009
【図８】
2012531942.tif 000010
【図９】
2012531942.tif 000011
【図１０】
2012531942.tif 000012
【国際調査報告】
2012531942.tif 000013